(57)【特許請求の範囲】
【請求項１】
（Ａ）過酸化水素あるいは水溶液中で過酸化水素を生成する過酸化物が過酸化水素換算で０．５〜６０重量％、（Ｂ）シアン酸アルカリ金属塩又はシアン酸アンモニウム塩が０．２〜３０重量％からなる水溶液であって、そのｐＨが９〜１３であることを特徴するカビ取り剤組成物。
【発明の詳細な説明】
【０００１】
【産業上の利用分野】
本発明は刺激臭がなく、しかもカビ取り洗浄力の優れた過酸化物系カビ取り剤組成物に関する。本発明のカビ取り剤組成物は、住居の壁や家具等に発生したカビの漂白に利用される。
【０００２】
【従来の技術】
住居の壁や家具についたカビを漂白するために、従来より次亜塩素酸ソーダを主成分とする塩素系漂白剤が使用されている。しかし、塩素系漂白剤は漂白力は優れているものの、分子状塩素による特有の臭気が発生して使用者に不快感を与え、また、使用方法によっては塩素ガスによる中毒の危険があるという欠点がある。さらに、塩素系漂白剤は有機塩素系化合物を副生するおそれがあり、環境保護の観点からも塩素系化合物を使用しない漂白剤への切り替えが望まれている。
【０００３】
住居の家具や壁、特に台所流し台、浴室の壁や天井やタイル目地についた汚れを除去するためには、かかる汚れが主にカビで構成されているために、カビに対する強い除去ないし漂白作用が要求される。しかしながら、カビは一般の漂白剤に対し強い抵抗性を示し、繊維などの漂白に比べ、カビを完全に漂白することは極めて困難である。すなわち、過酸化水素、無機過酸化物、有機過酸化物等の過酸化物系漂白剤は単独ではカビに対する漂白力が弱く、カビを完全に漂白することは困難である。
【０００４】
過酸化物系漂白剤による漂白作用の向上については、種々提案されている。特開昭６１−４２６００号公報には、グルコースペンタアセテート、テトラアセチルエチレンジアミン、テトラアセチルグリコールウリル、シアナミドなどが活性化剤として酸素系漂白剤と併用し得ることが開示されている。しかし、開示された活性化剤を含む組成物はカビに対してはいずれも漂白力が十分でなかったり、また、しばしば過酸化水素と反応して刺激臭のある化合物を副生して実用に適しないという問題を有する。
【０００５】
また、特開昭５２−１１０２８７号公報には過酸化物とシアナミド及び／又は金属シアナミドからなる繊維用の漂白剤組成物が開示されているが、カビに対しては漂白力が十分でない。米国特許３７５６７７４号明細書には過酸化物と有機シアニドを含有するｐＨ４〜７の繊維用の漂白剤組成物が開示されているが、カビに対しては漂白力が十分でない。特開昭６２−１７９０号公報には過酸化物とシリコンオイル又は／及びその乳化物とを含有するカビ取り剤組成物が開示されているが、カビに対する漂白力は十分でない。また、特開昭６２−１４９８００号公報には過酸化物の活性化剤としてシアン酸アルカリ金属塩が開示されているが、カビの漂白については記載が無い。
【０００６】
【発明が解決しようとする課題】
本発明の目的は、刺激臭が無く、しかも、住居の壁や家具、特に台所流し台、浴室の壁、天井又はタイル目地についたカビに対する漂白力に優れたカビ取り剤組成物およびこのようなカビの漂白方法を提供することである。
【０００７】
【課題を解決するための手段】
本発明者らは鋭意研究の結果、シアン酸塩と過酸化水素の組成物が特定のｐＨ領域においてカビに対して飛躍的に高い漂白力を示し、しかも刺激臭を有しないことを見いだし、本発明を完成させた。
【０００８】
本発明の（Ａ）成分は、過酸化水素あるいは水溶液中で過酸化水素を生成する過酸化物である。特に、過酸化水素水溶液が好適に使用できる。本発明のカビ取り剤組成物中の（Ａ）成分の配合量は、生成する過酸化水素換算で、一般に０．５〜６０重量％であり、好ましくは０．５〜３０重量％、更に好ましくは０．５〜１０重量％である。実用上からは、１〜６重量％が最も好ましい。
【０００９】
また、過酸化物として過酸化水素と付加物を形成している化合物を使用して、
水溶液中で過酸化水素を生じさせてもよい。過酸化水素と付加物を形成している化合物としては、炭酸ソーダと過酸化水素がモル比２：３で付加した炭酸ソーダ過酸化水素付加物、過ホウ酸ソーダ一水和物および過ホウ酸ソーダ四水和物が例示される。過酸化水素と付加物を形成している化合物を使用する場合は、付加物が水溶液中で解離して生成する過酸化水素が前記範囲に含まれる量になる量を使用する。
【００１０】
次に、（Ｂ）成分であるシアン酸のアルカリ金属塩、シアン酸のアンモニウム塩としては、シアン酸カリウム、シアン酸ナトリウム、シアン酸アンモニウムを例示でき、その１種又は２種以上を使用する。本発明のカビ取り剤組成物中の（Ｂ）成分の配合量は０．２〜３０重量％であり、好ましくは０．５〜１０重量％、更に好ましくは０．５〜５重量％である。シアン酸塩は市販の固体のものが使用できる。
【００１１】
カビ取り剤組成物中の（Ａ）成分である過酸化物の配合量は、一般に０．５〜６０重量％であり、好ましくは０．５〜３０重量％、更に好ましくは０．５〜１０重量％である。実用上は、１〜６重量％が最も好ましい。（Ｂ）成分であるシアン酸塩の配合量は０．２〜３０重量％であり、好ましくは０．５〜１０重量％、更に好ましくは０．５〜５重量％である。（Ａ）成分又は（Ｂ）成分がこの範囲より少ないと漂白作用効果が低く、（Ａ）成分又は（Ｂ）成分がこの範囲より多いとカビ取り剤組成物として取り扱い難くなる。
【００１２】
本発明のカビ取り剤組成物のｐＨは高い漂白力を得るために重要であり、通常、７〜１３、好ましくは８〜１３、更に好ましくは９．０〜１２．４である。
【００１３】
ｐＨがこの範囲より低いと漂白作用効果が低く、この範囲より高いと過酸化物が不安定になるなどカビ取り剤組成物として取り扱い難くなる。
【００１４】
本発明においてはカビ取り剤組成物のｐＨを前記範囲に調整するために、アルカリ金属水酸化物又はアルカリ金属珪酸塩を使用することが好ましい。アルカリ金属水酸化物又はアルカリ金属珪酸塩としては、水酸化リチウム、水酸化ソーダ、水酸化カリウム等のアルカリ金属の水酸化物、珪酸ソーダ、珪酸カリウム等のアルカリ金属の珪酸塩を例示することができる。中でも、珪酸ソーダ、珪酸カリウム等のアルカリ金属の珪酸塩を使用すると、漂白力が著しく向上することから好ましい。
【００１５】
アルカリ金属水酸化物又はアルカリ金属珪酸塩の配合量は０．０１〜１０重量％の範囲から選ばれ、カビ取り剤組成物のｐＨが前記範囲内に含まれるようになる量を使用する。
【００１６】
また、過酸化水素の発生剤として炭酸ソーダ過酸化水素付加物や過ホウ酸ソーダ等を使用する場合は、これら付加物の水溶液がそれ自体でアルカリ性を示すので、アルカリ金属水酸化物又はアルカリ金属珪酸塩の使用量を減らすこと
が出来る。
【００１７】
本発明のカビ取り剤組成物は、通常、水に（Ａ）過酸化水素又は過酸化水素と付加物を形成している化合物、および、（Ｂ）シアン酸のアルカリ金属塩又はシアン酸のアンモニウム塩を溶解して製造される。本発明のカビ取り剤組成物は、均一な水溶液であってもスラリー状の水溶液であってもよい。本発明のカビ取り剤組成物の溶媒である水の含有量は、カビ取り剤組成物全体の中で４０〜９９重量％、好ましくは５０〜９８重量％、より好ましくは６０〜９７重量％の範囲から選ばれる。
【００１８】
本発明のカビ取り剤組成物には、更に界面活性剤を添加することが好ましい。界面活性剤としては、ポリオキシエチレンアルキルエーテル、ポリオキシエチレン脂肪酸エステル、アミンオキサイド等の非イオン界面活性剤、石鹸、アルキル硫酸塩、アルキルベンゼンスルホン酸塩等の陰イオン界面活性剤等が例示される。界面活性剤の添加量はカビ取り剤組成物全体の中で０．１〜５重量％となる量が好ましい。界面活性剤の添加により、カビに対するカビ取り剤組成物の浸透を助け、カビの漂白および洗浄・除去効果を高めることができる。
【００１９】
本発明のカビ取り剤組成物は溶液状態又はスラリー状態として使用され、カビの付着した住居の壁や家具の表面にスプレー等で散布するか又は刷毛等で塗布することにより、効果的にカビを漂白することができる。
【００２０】
【実施例】
以下、本発明を実施例および比較例を挙げて更に詳細に説明するが、本発明はこれらに限定されるものではない。
【００２１】
実施例１
過酸化水素濃度が３．０重量％、シアン酸カリウム濃度が５．０重量％、珪酸ソーダ濃度が０．１重量％となるように過酸化水素水溶液、シアン酸カリウム及びメタ珪酸ソーダ水溶液を水に混合溶解してカビ取り剤組成物を調製した。カビ取り剤組成物のｐＨは９．０であった。
【００２２】
次に、得られたカビ取り剤組成物を使用して、カビ漂白試験および臭気判定を以下のようにして行った。その結果を第１表に示す。
【００２３】
＜カビ漂白試験の試験方法及び評価方法＞
１）カビの培養方法
蒸気滅菌した寒天培地を滅菌シャーレーに移し、その寒天培地に黒カビ（Aureobasidium pullulans ）を移植し、３５℃のインキュベター中に１０日間入れ培養する。
【００２４】
２）カビ漂白試験方法
黒カビの生育した寒天にガラスチューブを突き刺し、その内側に試験液を入れ３０分放置後の黒カビ漂白の程度をみる。
【００２５】
３）評価方法
漂白の程度を目視により以下の３段階に判定する。
【００２６】
漂白度III：完全に漂白された。
【００２７】
漂白度II：ある程度漂白された。
【００２８】
漂白度Ｉ：ほとんど又は全く漂白されなかった。
【００２９】
＜臭気の判定及び評価方法＞
１）臭気の判定方法
１０人のパネラーに漂白剤組成物の臭気を嗅いでもらい、官能評価する。
【００３０】
２）臭気の評価方法
臭気を以下のように評価する。
【００３１】
○：ほとんど又はすべてのパネラーが刺激臭も悪臭も感じない。
【００３２】
△：約半数のパネラーが刺激臭又は悪臭を感じる。
【００３３】
×：ほとんど又はすべてのパネラーが刺激臭又は悪臭を感じる。
【００３４】
実施例２〜１０
成分の種類及び配合量を第１表に示すように変更してカビ取り剤組成物を調製した。％は重量％を表す。カビ取り剤組成物のｐＨは第１表に示すようであった。
【００３５】
次に、得られたカビ取り剤組成物を使用して、カビ漂白試験及び臭気判定を前記のようにして行った。結果を第１表に示す。
【００３６】
実施例１１〜１２
過酸化水素を炭酸ソーダ過酸化水素付加物又は過ほう酸ソーダ一水和物に変更してカビ取り剤組成物を調製した。炭酸ソーダ過酸化水素付加物又は過ほう酸ソーダ一水和物の使用量は、含まれる過酸化水素量で表した。得られたカビ取り剤組成物を使用して行ったカビ漂白試験及び臭気判定の結果を第２表に示す。
【００３７】
比較例１
次亜塩素酸ソーダを第２表に示すように使用して漂白組成物を調製した。％は重量％を表す。漂白組成物のｐＨ、及び得られた漂白組成物を使用して行ったカビ漂白試験及び臭気判定の結果を第３表に示す。漂白性は良かったが、塩素臭が強かった。
【００３８】
比較例２
シアン酸塩を使用しなかった他は実施例２と同様に漂白組成物を調製した。結果を第３表に示す。漂白性能は低下した。
【００３９】
比較例３
シアン酸塩の代わりにテトラアセチルエチレンジアミンを使用した他は実施例２と同様に漂白組成物を調製した。結果を第３表に示す。漂白性能がやや低下するとともに、有機酸の臭気が強かった。
【００４０】
比較例４
苛性ソーダ濃度を１０％とした他は実施例４と同様に漂白組成物を調製した。結果を第３表に示す。溶液ｐＨは１３．７となり漂白性能は低下した。
【００４１】
比較例５
シアン酸塩を使用しなかった他は実施例１０と同様に漂白組成物を調製した。結果を第３表に示す。漂白性能は低下した。
【００４２】
【表１】
0003882206.tif 000002
【００４３】
第２表
実施例                １１        １２  
ＳＰＣ*               ３％
ＰＢ**                            ２％
シアン酸カリウム      ５％        ５％
オルト珪酸ソーダ      ０.１％     ０.１％
ｐＨ                  ９.８     １０.１  
カビ漂白試験           III         III
臭気評価                ○          ○  
ＳＰＣ* ：炭酸ソーダ過酸化水素付加物、濃度は過酸化水素の濃度で表示
ＰＢ**  ：過ほう酸ソーダ一水和物、濃度は過酸化水素の濃度で表示
第３表
比較例                １      ２      ３      ４      ５    
過酸化水素                    3％     3％     3％
ＳＰＣ*                                               3％
次亜塩素酸ソーダ     3.5％
シアン酸カリウム                              5％
ＴＡＥＤ***                           3％
メタ珪酸ソーダ                2.5％   2.5％
苛性ソーダ                                   10％
ｐＨ                13.1  11.0 10.8 13.7  9.6  
カビ漂白試験
臭気評価             ×       ○      ×      ○      ○    
ＳＰＣ* ：炭酸ソーダ過酸化水素付加物、濃度は過酸化水素の濃度で表示
ＴＡＥＤ*** ：テトラアセチルエチレンジアミン
【００４４】
【発明の効果】
本発明によれば、刺激臭が無く、しかも、住居の壁や家具、特に台所流し台、
浴室の壁、天井又はタイル目地についたカビに対する漂白力に優れたカビ取り剤組成物が提供される。